(57)【要約】【課題】セキュリティの信頼性を向上すると共に、入居者に数度の手間を取らせることなく複数個所でのセキュリティロックの解除が行える入場管理システムを提供する。【解決手段】非接触ＩＣの情報を読み取るリーダ１６と、リーダ１６又は訪問先インターホン１１による解錠操作を受けて適正解錠操作であると判断し場合にロック部を解除する制御器１２と、を備え、建物複数個所の共有施設にリーダ１６，２５，２６，２７とロック部とが設置され、制御器１２は、訪問者用のセキュリティ解除用コードを生成すると共に建物エントランスに設置されたリーダ１６に向けてセキュリティ解除用コードを送信して訪問者が所有する携帯機器にセキュリティ解除用コードを記憶させ、リーダ１６，２５，２６，２７に訪問者が所有する携帯機器がかざされた場合にはロック部を解除する。【選択図】      図１
2012087462.tif 000002
【特許請求の範囲】
【請求項１】
非接触ＩＣに記憶された入居者情報を読み取るリーダと、訪問先インターホンを発呼する訪問者入力キーと、前記リーダ又は前記訪問先インターホンによる解錠操作を制御する制御器と、該制御器によって適正解錠操作であると判断された場合にセキュリティロックが解除されるロック部と、を備えた入場管理システムにおいて、
前記リーダと前記ロック部とが建物複数個所の共有施設に設置され、前記制御器は、建物エントランスに設置された前記リーダに訪問者が所有する携帯機器に記憶された固体識別情報からなるＩＤを読み取って訪問者を特定すると共にそのＩＤに関連付けした訪問者用のセキュリティ解除用コードを生成し、前記リーダに訪問者が所有する携帯機器がかざされた場合には、その携帯機器に記憶された前記ＩＤに関連付けられたセキュリティ解除用コードに基づいて前記ロック部を解除することを特徴とする入場管理システム。
【請求項２】
前記制御器は、訪問者が所有する携帯機器に記憶された固体識別情報からなるＩＤに、所定時間内で有効とする時限情報と訪問者用に許可された前記ロック部のみを制限して解除するための許可ゲート情報と、を付加した時限付ＩＤを前記セキュリティ解除用コードとして生成した後に、その時限付ＩＤと前記リーダで読み取った訪問者が所有する携帯機器のＩＤとを比較し、時限付ＩＤとＩＤとが一致したときに時限情報と許可ゲート情報との範囲内で前記ロック部を解除することを特徴とする請求項１に記載の入場管理システム。
【請求項３】
前記制御器は、前記訪問先インターホンから訪問先ＩＤを取得し、その訪問先ＩＤを前記セキュリティ解除コードに付加することを特徴とする請求項１又は請求項２に記載の入場管理システム。
【請求項４】
前記制御器は、訪問者が所有する携帯機器が前記リーダにかざされる回数を制限した前記セキュリティ解除用コードを生成することを特徴とする請求項１乃至請求項３の何れかにに記載の入場管理システム。
【請求項５】
前記制御器は、建物エントランスに設置された前記リーダに訪問者が所有する携帯機器のＩＤを２回読み取った場合には、前記セキュリティ解除用コードを削除することを特徴とする請求項１乃至請求項５の何れかに記載の入場管理システム。
【発明の詳細な説明】
【技術分野】
【０００１】
本発明は、建物入居者の許可を受けた訪問者が入館口から目的地（目的階や目的室）までに複数設置されたセキュリティゲートのロックを解除するようにした入場管理システムに関する。
【背景技術】
【０００２】
従来から、オフィスビルやマンション等の建物には、セキュリティ確保のため、ＩＤカードに記憶されたセキュリティ解除情報を建物入り口に設置されたリーダで読み取り、その読み取ったセキュリティ解除情報を制御器に予め登録された入居者情報とで比較し、一致した場合に建物入口のオートロック式手動ドアの施錠解除や自動ドア開放といったセキュリティ解除を行うようにした入場管理システムが周知である。
【０００３】
一方、近年では、磁気等のＩＤカードに変えて、非接触式ＩＣを利用したＩＣカードやＩＣキーが普及している。
【０００４】
この際、建物（例えば、マンション）の入口（エントランス）には、ＩＣカードやＩＣキーを読み取るリーダの他、自動ドア等の手前で訪問者が訪問先部屋番号等を入力するテンキーや呼出・解除キー等のスイッチ、訪問先インターホンで訪問者を確認するためのカメラ、音声入力用のマイク、音声出力用のスピーカ、といったものが設けられているのが一般的である。
【０００５】
そして、入居者の場合には、リーダにＩＣカードやＩＣキーをかざすことによって、入居者と判断された場合にオートロック式手動ドアの施錠解除や自動ドア開放といったセキュリティ解除を行う。また、訪問者の場合には、テンキーによって訪問先部屋番号を入力した後、呼出ボタンを押して訪問先を発呼し、訪問先入居者によるインターホン越しでの訪問者確認に伴う解除操作によってオートロック式手動ドアの施錠解除や自動ドア開放といったセキュリティ解除を行う（例えば、特許文献１参照）。
【０００６】
しかしながら、このようなセキュリティ解除システムの場合、入居者や、訪問先入居者に入館許可された訪問者といった善意の入館者の入館時、或いは、退館時には、ドアが開放状態にある。
【０００７】
したがって、例えば、悪意の訪問者が入館しようとする際には、善意の入館者の入退館時のドア開放状態にあるときに、まぎれて入館することができてしまうという問題が生じていた。
【０００８】
そこで、近年の建物には、エントランスの入口ドアよりも建物内部、例えば、エレベータ行き先階指定ボタンの指定操作や各階フロア入口ドア等においてセキュリティ解除を連動させ、建物の複数個所にてエントランス又は訪問先で解除したフロアにのみ行くことができるようにすることによって、悪意の訪問者がエントランスの入口まではまぎれて入館することができても、それよりも先には行き難くした入場管理システムが考えられている。
【先行技術文献】
【特許文献】
【０００９】
【特許文献１】特開２００４−３６０２００号公報
【発明の概要】
【発明が解決しようとする課題】
【００１０】
ところが、上述したエントランス以外にセキュリティシステムを用いた場合であっても、善意の入館者の行き先階は、入館時に同時にセキュリティ解除されているため、エントランス又は訪問先でセキュリティ解除したフロアと同じフロアには悪意の訪問者もそのまま行くことができてしまうという問題は依然として残っていた。
【００１１】
また、このような問題を解消するために、例えば、エレベータの発呼、エレベータドアの開放、エレベータ行き先階指定ボタンの指定操作、各階フロア入口ドア等、さまざまな共有施設毎にエントランスと同様のリーダを設け、各リーダ毎にセキュリティを解除しないとその先に進むことができないようにすることによって、悪意の訪問者の入館を排除することが考えられている。
【００１２】
しかしながら、このような各共有施設毎にセキュリティを解除する場合、悪意の訪問者だけでなく、入館許可された訪問者まで先に進むことができないため、その都度訪問先を呼び出すインターホンの設置が必要となるうえ、入居者の手間も増えるといった新たな問題が生じていた。
【００１３】
本発明は、上記した課題を解決すべくなされたものであり、建物の複数共有施設にセキュリティ解除用のリーダを設置してセキュリティの信頼性を向上すると共に、入居者に入館が許可された訪問者であっても入居者に再度の手間を取らせることなく複数個所でのセキュリティロックの解除を行うことができる入場管理システムを提供することを目的とする。
【課題を解決するための手段】
【００１４】
本発明の入場管理システムは、非接触ＩＣに記憶された入居者情報を読み取るリーダと、訪問先インターホンを発呼する訪問者入力キーと、前記リーダ又は前記訪問先インターホンによる解錠操作を制御する制御器と、該制御器によって適正解錠操作であると判断された場合にセキュリティロックが解除されるロック部と、を備えた入場管理システムにおいて、前記リーダと前記ロック部とが建物複数個所の共有施設に設置され、前記制御器は、建物エントランスに設置された前記リーダに訪問者が所有する携帯機器に記憶された固体識別情報からなるＩＤを読み取って訪問者を特定すると共にそのＩＤに関連付けした訪問者用のセキュリティ解除用コードを生成し、前記リーダに訪問者が所有する携帯機器がかざされた場合には、その携帯機器に記憶された前記ＩＤに関連付けられたセキュリティ解除用コードに基づいて前記ロック部を解除することを特徴とする。
【００１５】
このようなシステムを構築することにより、建物の複数共有施設にセキュリティ解除用のリーダを設置してセキュリティの信頼性を向上すると共に、入居者に入館が許可された訪問者であっても入居者に再度の手間を取らせることなく複数個所でのセキュリティロックの解除を行うことができる。
【００１６】
この際、前記制御器は、訪問者が所有する携帯機器に記憶された固体識別情報からなるＩＤに、所定時間内で有効とする時限情報と訪問者用に許可された前記ロック部のみを制限して解除するための許可ゲート情報と、を付加した時限付ＩＤを前記セキュリティ解除用コードとして生成した後に、その時限付ＩＤと前記リーダで読み取った訪問者が所有する携帯機器のＩＤとを比較し、時限付ＩＤとＩＤとが一致したときに時限情報と許可ゲート情報との範囲内で前記ロック部を解除するのが好ましい。
【００１７】
また、前記制御器は、前記訪問先インターホンから訪問先ＩＤを取得し、その訪問先ＩＤを前記セキュリティ解除コードに付加するのが好ましい。
【００１８】
また、前記制御器は、訪問者が所有する携帯機器が前記リーダにかざされる回数を制限した前記セキュリティ解除用コードを生成するのが好ましい。
【００１９】
さらに、前記制御器は、建物エントランスに設置された前記リーダに訪問者が所有する携帯機器のＩＤを２回読み取った場合には、前記セキュリティ解除用コードを削除するのが好ましい。
【発明の効果】
【００２０】
本発明の入場管理システムによれば、建物の複数施設にセキュリティ解除用のリーダを設置してセキュリティの信頼性を向上すると共に、入居者に入館が許可された訪問者であっても手間を取らせることなくセキュリティの解除を行うことができる。
【図面の簡単な説明】
【００２１】
【図１】本発明の一実施形態に係る入場管理システムの一例を示す説明図である。
【図２】本発明の一実施形態に係る入場管理システムの一例を示す要部の説明図である。
【図３】本発明の一実施形態に係る入場管理システムにおけるセキュリティ解除用時限付ＩＤ登録ルーチンを示すフロー図である。
【図４】本発明の一実施形態に係る入場管理システムにおけるセキュリティゲート通過ルーチンを示すフロー図である。
【発明を実施するための形態】
【００２２】
次に、本発明の一実施形態に係る入場管理システムについて、図面を参照して説明する。ここで、図１は本発明の一実施形態に係る入場管理システムの一例を示す説明図、図２は本発明の一実施形態に係る入場管理システムの一例を示す要部の説明図、図３は本発明の一実施形態に係る入場管理システムにおけるセキュリティ解除用時限付ＩＤ登録ルーチンを示すフロー図、図４は本発明の一実施形態に係る入場管理システムにおけるセキュリティゲート通過ルーチンを示すフロー図である。
【００２３】
尚、以下に示す実施の形態は本発明の入場管理システムにおける好適な具体例であり、技術的に好ましい種々の限定を付している場合もあるが、本発明の技術範囲は、特に本発明を限定する記載がない限り、これらの態様に限定されるものではない。また、以下の説明において、「エントランス」とは建物の入口部分のうちオートロック式手動ドアや自動ドアよりも外部を意味する。また、以下に示す実施の形態では、建物として住居用のマンションを例にして説明するが、所謂オフィスビル等でも良い。
【００２４】
図１において、本実施の形態に係る入場管理システムは、例えば、建物のエントランスに設置された外部インターホン１０と、建物の各戸室内に設置された訪問先インターホン１１と、外部インターホン１０と訪問先インターホン１１とを制御する制御器１２と、を備えている。また、本実施の形態においては、例えば、訪問者等との打ち合わせを可能とした共有のロビーがエントランスに次いで設けられており、そのロビーとエレベータホールとの間にセキュリティロックがされた自動ドア１３と、乗車階（例えば、１Ｆ）での呼び出し又は降車階の指定に関してセキュリティロックがされたエレベータ１４と、各階のエレベータホールと住居フロア（例えば、廊下）との間にセキュリティロックがされた自動ドア１５と、が設けられている。
【００２５】
外部インターホン１０は、ＩＣカードやＩＣキーを非接触で読み取るリーダ１６と、訪問者が訪問先部屋番号等を入力するテンキーや呼出・解除キー等を備えた訪問者入力キー１７と、訪問先インターホン１１で訪問者を確認するためのカメラ１８と、音声入力用のマイク１９と、音声出力用のスピーカ２０と、を備えている。
【００２６】
訪問先インターホン１１は、外部インターホン１０によって発呼された場合に、カメラ１８から送信された映像により訪問者を確認するためのモニタ２１と、訪問者をエントランスからロビーへと招き入れる場合にオートロック式手動ドアの施錠解除又は自動ドアの開放を遠隔操作するためのセキュリティ解除ボタン２２と、部屋番号等を入力することによって訪問先ＩＤを作成するテンキー等のスイッチ部２３と、外部インターホン１０に音声を出力する際に押下されるＰＴＴスイッチ２４と、を備えている。
【００２７】
これにより、入居者の場合には、リーダ１６にＩＣカードやＩＣキーをかざすことによって、制御器１２が入居者と判断し、エントランスに設置のオートロック式手動ドアの施錠解除や自動ドア開放といったセキュリティ解除を行う。また、訪問者の場合には、訪問者入力キー１７のテンキーによって訪問先部屋番号を入力した後、訪問者入力キー１７の呼出ボタンを押して訪問先を発呼し、訪問先入居者による訪問先インターホン１１で訪問者確認に伴う解除操作を行うことによって、制御器１２がエントランスに設置のオートロック式手動ドアの施錠解除や自動ドア開放といったセキュリティ解除を行う。
【００２８】
一方、本実施の形態においては、自動ドア１３、エレベータ１４、自動ドア１５、の各共有施設においてもセキュリティが確保されているため、そのセキュリティを解除するためのリーダ２５，２６，２７が設けられており、それぞれ制御器１２によってセキュリティ解除が制御されている。
【００２９】
したがって、入居者は、建物の内部に至る度に、各リーダ２５，２６，２７にＩＣキーをかざすことで自動ドア１３、エレベータ１４、自動ドア１５、の各共有施設のセキュリティロックを解除する必要がある。尚、各戸の玄関ドア２８にはドアホン２９が設けられているが、このドアホン２９においてもリーダ（図示せず）を設置しても良いし、シリンダーキー（図示せず）によって解錠するようにしても良い。但し、本実施の形態においては、後述する訪問者においても自動ドア１３、エレベータ１４、自動ドア１５、の各共有施設を入居者と同様に訪問者によってセキュリティロックの解除を可能としているため、玄関ドア２８に関してはシリンダーキーによる解錠とするのが望ましい。
【００３０】
ここで、入居者は、訪問者を外部インターホン１０で確認した場合、その訪問先までのセキュリティロック（ロック部）を訪問者が解除することができるように、訪問先インターホン１１によって生成したセキュリティ解除用コードとしての訪問先ＩＤと時限情報とを制御器１２へと送信する。
【００３１】
また、制御器１２は、その訪問先ＩＤと時限情報とを関連付けして登録するとともに、後述する時限付ＩＤを生成して登録する。この時限付ＩＤは、例えば、近年の携帯電話機Ｈに一般的に搭載されている固体識別情報記録用の非接触ＩＣ（チップ）から製造番号（ＩＤ）を読み取り、図２に示すように、訪問先ＩＤによって訪問先を特定したうえで、時限情報（例えば、１０分等）と許可ゲート情報（例えば、エントランスとエレベータ等）とを携帯電話ＨのＩＤに付加したものである。尚、この際、携帯電話機Ｈに搭載された非接触式ＩＣは公知のものであり、その読み取りに関する技術も公知のものを用いることができる。また、時限付ＩＤに訪問先ＩＤを付加すれば、誰が＜携帯電話機ＨのＩＤ＞何処に＜訪問先ＩＤ＞訪問したかをデータ管理することができ、セキュリティの向上に貢献することができる。
【００３２】
訪問者の携帯電話機ＨのＩＤを読み取るには、訪問者による外部インターホン１０の発呼により訪問先入居者が訪問者をモニタ２１で確認し、訪問先インターホン１１で登録（入館）を許可すればよい。例えば、訪問先インターホン１１では、外部インターホン１０との通話のためのＰＴＴスイッチ２４が設けられているため、このＰＴＴスイッチ２４による通話が完了した時点で、パネルスイッチ方式のモニタ２１に『登録』ボタンが表示され、この『登録』ボタンを押下するだけで良い。また、再度ＰＴＴスイッチ２４が押下された場合には、通話を優先するためにモニタ２１には外部インターホン１０からの映像を優先して表示し、ＰＴＴスイッチ２４の押下が終わる度に『登録』ボタン表示に切り換わる。
【００３３】
一方、訪問者は、訪問先入居者が訪問先インターホン１１と外部インターホン１０との通話機能を利用して、訪問先入居者による指示（例えば、「携帯電話をリーダにかざして」など）にしたがって自身の携帯電話機Ｈをリーダ１６にかざし、自身の携帯電話機Ｈの非接触ＩＣからＩＤを読み取らせる。この際、携帯電話機Ｈをリーダ１６にかざす旨の指示は外部インターホン１０の音声ガイド機能で行っても良い。
【００３４】
尚、訪問先入居者が『登録』ボタンを押下した後、所定時間経過（例えば、制御器１２による１５秒のカウント）しても訪問者の携帯電話機ＨからＩＤを読み取ることができなかった場合、その旨をモニタ２１にメッセージ表示（及びエラー音発生）すると共に、『確認』ボタンを表示する。訪問先入居者がこの『確認』ボタンを押下すると、モニタ２１は『登録』ボタンを押下する前の初期状態に復帰する（又は、訪問者との通信を再開するために玄関付近の映像を映す。）。
【００３５】
さらに、訪問者がエントランスから訪問先入居者玄関に至る途中で時限オーバーとなってしまった場合、その途中に設置されたゲートを通過することができなくなるうえ、訪問先入居者とインターホン越しの連絡もできなくなる。
【００３６】
したがって、このような場合、通常外出方向にはゲートロックは掛かっていないため、再度エントランスの外部インターホン１０まで戻ることにより、携帯電話機ＨのＩＤを再読み込みすることができる。この際、制御器１２は、時限付ＩＤの制限時間を前回よりも長く（例えば、１５分）することも可能である。
【００３７】
以下、図３に基づいてセキュリティ解除用コードとしての時限付ＩＤの登録ルーチンを具体的に説明する。尚、以下に示すルーチンでは、便宜上、制御器１２のルーチンの他、その手順として人為的作業を含めた形で説明する。また、本実施の形態におけるセキュリティ解除用コードは、訪問者が所有する携帯電話機Ｈの非接触ＩＣ（図示せず）にのＩＤをそのまま利用するため、制限時間に替えてリーダ１６，２５，２６，２７にかざされる回数で制限しても良い。また、制御器１２は、制限時間が経過した時点で登録したセキュリティ解除用コード（時限付ＩＤ）を削除しても良いが、訪問者が帰る際に再びリーダ１６に訪問者が所有する携帯電話機Ｈをかざした場合に登録したセキュリティ解除用コード（時限付ＩＤ）を削除しても良い。
【００３８】
（ステップＳ１）
ステップＳ１では、訪問者が外部インターホン１０を利用して訪問先を発呼する。この際、制御器１２は、指定された訪問先インターホン１１を呼び出すと共に、モニタ２１にカメラ１８からの撮像信号を出力する。
【００３９】
（ステップＳ２）
ステップＳ２では、入居者（住人）が訪問者インターホン１１を利用して訪問者を確認し、時限付ＩＤの登録操作（『登録』ボタンを押下）を行う。この際、テンキー２３で訪問者用ＩＤを作成しても良い。また、入居者は、訪問者に対して携帯電話機Ｈをリーダ１６にかざすように口頭指示する。
【００４０】
（ステップＳ３）
ステップＳ３では、訪問先インターホン１１は、制御器１２に時限付ＩＤを登録指示を出力する。
【００４１】
（ステップＳ４）
ステップＳ４では、制御器１２は、リーダ１６に携帯電話機Ｈの非接触ＩＣからＩＤを読み取る指示命令を出力する。
【００４２】
（ステップＳ５）
ステップＳ５では、リーダ１６は、携帯電話機Ｈの非接触ＩＣからＩＤを読み取り、制御器にＩＤを送信する。
【００４３】
（ステップＳ６）
ステップＳ６では、制御器１２は、リーダ１６から所定時間内（例えば、２０秒）にＩＤを受信したか否かを判断し、所定時間内にＩＤを受信した場合にはステップＳ７へと移行し、タイムアウトの場合にはステップＳ９へと移行する。
【００４４】
（ステップＳ７）
ステップＳ７では、リーダ１６は、携帯電話機ＨのＩＤを制御器１２に送信する。
【００４５】
（ステップＳ８）
ステップＳ８では、制御器１２は、受信した携帯電話機ＨのＩＤに時限情報と許可ゲート情報とを付加して時限付ＩＤを生成し、登録する。
【００４６】
（ステップＳ９）
ステップＳ９では、制御器１２は、リーダ１６へのＩＤ読み取り指示を中止し、訪問先インターホン１１にタイムアウトした旨を送信する。
【００４７】
次に、図４に基づいて時限付ＩＤを携帯電話機Ｈの非接触ＩＣに記憶した訪問者によるセキュリティロック解除操作ルーチンを説明する。尚、以下に示すルーチンにおいても、便宜上、制御器１２のルーチンの他、その手順として人為的作業を含めた形で説明する。また、ここでは、携帯電話機Ｈの非接触ＩＣに時限付ＩＤを登録した時点でリーダ１６の読み取りが行われているため、次のリーダ２５を対象として説明する。
【００４８】
（ステップＳ１１）
ステップＳ１１では、訪問者が携帯電話機Ｈをリーダ２５にかざす。
【００４９】
（ステップＳ１２）
ステップＳ１２では、リーダ２５は、携帯電話機Ｈの非接触ＩＣから受信したＩＤを制御器１２に送信する。
【００５０】
（ステップＳ１３）
ステップＳ１３では、制御器１２は、先に登録した時限付ＩＤとリーダ２５から受信したＩＤとを比較し、制御器１２に登録した時限付ＩＤに含まれるＩＤと受信した携帯電話ＨのＩＤとが一致した場合にはステップＳ１４へと移行し、制御器１２に登録した時限付ＩＤに含まれるＩＤと受信した携帯電話ＨのＩＤとが一致しなかった場合にはこのルーチンを終了する。
【００５１】
（ステップＳ１４）
ステップＳ１４では、制御器１２は、リーダ２５に対応するロック部に解錠（開扉）指示を送信する。
【００５２】
（ステップＳ１５）
ステップＳ１５では、リーダ２５が設置されたゲートは、ロック部に向けて解錠（開扉）指令を送信する。
【００５３】
このように、本発明の入場管理システムにあっては、非接触ＩＣの情報を読み取るリーダ１６と、リーダ１６又は訪問先インターホン１１による解錠操作を受けて適正解錠操作であると判断し場合にロック部を解除する制御器１２と、を備え、建物複数個所の共有施設にリーダ１６，２５，２６，２７とロック部とが設置され、制御器１２は、訪問者用のセキュリティ解除用コードを生成すると共に建物エントランスに設置されたリーダ１６に向けてセキュリティ解除用コードを送信して訪問者が所有する携帯電話機Ｈの非接触ＩＣにセキュリティ解除用コードを登録し、リーダ１６，２５，２６，２７に訪問者が所有する携帯電話機Ｈの非接触ＩＣがかざされた場合にはロック部を解除する。
【００５４】
これにより、建物複数個所の共有施設にリーダ１６，２５，２６，２７とロック部とが設置されている場合であっても、セキュリティを確保しつつ、その都度訪問先インターホン１１の呼び出し、ロック解除といった手間を省略することができる。
【００５５】
なお、上記した本発明の実施の形態では、訪問者が所有する携帯電話機の非接触ＩＣを利用する場合について説明したが、本発明はこの場合に限定されるものではなく、例えば、非接触型ＩＣカード等、他の携帯機器を利用することもできる。
【符号の説明】
【００５６】
１１…訪問先インターホン
１２…制御器
１６…リーダ
１７…訪問者入力キー
２５…リーダ
２６…リーダ
２７…リーダ
Ｈ…携帯電話機
【図１】
2012087462.tif 000003
【図２】
2012087462.tif 000004
【図３】
2012087462.tif 000005
【図４】
2012087462.tif 000006